(57)【特許請求の範囲】
【請求項１】
垂下したスクリーンの下端部にウェイトバーを固定し、前記スクリーンの上端部に固定した巻取軸で当該スクリーンを巻き上げ可能なロールスクリーン、が設置される枠体に設けられるガイドレールであって、
前記枠体へ取り付けられる第１ガイドベースと、
前記スクリーンと前記枠体の隙間を遮蔽する第１ガイドプレートと、
を有し、
前記第１ガイドプレートは、前記巻取軸の軸中心より下方側において、前記巻取軸で巻き取られた前記スクリーンのロールの外周との間で前記ウェイトバーの上方への移動を規制するウェイトバー規制部を有する
ことを特徴とするガイドレール。
【請求項２】
前記第１ガイドプレートは、
その下端部に前記ウェイトバー規制部を有することを特徴とする請求項１記載のガイドレール。
【請求項３】
前記枠体へ取り付けられる第２ガイドベースと、
前記第２ガイドベースに対し所定の回動軸周りに回動することで開閉可能に連結され、前記スクリーン及び前記枠体の隙間を遮蔽する第２ガイドプレートと、
を有し、
前記第１ガイドプレートと前記第２ガイドプレートは水平方向の幅寸法が略同一であることを特徴とする請求項１又は２記載のガイドレール。
【請求項４】
請求項１乃至３のいずれか１項に記載のガイドレールが設置された枠体へのロールスクリーンの設置方法であって、
前記ロールスクリーンを前記枠体に配置する第１工程と、
前記巻取軸で巻き取られた前記スクリーンのロールの外周と前記ウェイトバー規制部との間で前記ウェイトバーが通過できない程度に前記ロールスクリーンを前記第１ガイドプレートに近接させる第２工程と、
前記ロールスクリーンを前記枠体に固定する第３工程と、
を順に実行することを特徴とするロールスクリーンの設置方法。
【請求項５】
スクリーンと、前記スクリーンの下端部に固定したウェイトバーと、前記スクリーンの上端部に固定して当該スクリーンを巻き上げ可能な巻取軸と、を有するロールスクリーンを備えた日射遮蔽システムであって、
前記日射遮蔽システムが設けられる枠体へ取り付けられる第１ガイドベースと、前記スクリーンと前記枠体の隙間を遮蔽する第１ガイドプレートと、を有し、前記第１ガイドプレートは、前記巻取軸の軸中心より下方側において、前記巻取軸で巻き取られた前記スクリーンのロールの外周との間で前記ウェイトバーの上方への移動を規制するウェイトバー規制部と、を有するガイドレール、
を備えたことを特徴とする日射遮蔽システム。
【発明の詳細な説明】
【技術分野】
【０００１】
本発明は、ガイドプレートが設けられる枠体に設けられるガイドレール、ロールスクリーン、ロールスクリーンの設置方法、及び日射遮蔽システムに関する。
【背景技術】
【０００２】
従来、ガイドプレート材が設けられる枠体に設けられるガイドレールに関する技術が開示されている。例えば、特許文献１には、ガイドプレート材（スラット）の両端にガイドローラを設けるとともに、枠体（額縁）にガイドローラが摺動自在に嵌合するガイドレールとガイドプレート材の両端部をのみ込むガイドプレート（スラットのみ込み部）とを有する縦フレームを設置した、ブラインド構造が開示されている。
【先行技術文献】
【特許文献】
【０００３】
【特許文献１】実開平６−８６９４号公報
【発明の概要】
【発明が解決しようとする課題】
【０００４】
上記従来技術では、ガイドプレート材により日射や視線等の遮蔽を行うときに、ガイドプレート材と枠体との隙間を、ガイドプレートにより遮蔽することができるので、上記隙間からの日射や視線等を遮蔽することができる。
【０００５】
ところで、ガイドプレート材としては上記横スラット型以外にも、布地等からなるスクリーンの巻き取りと巻き戻しにより枠体内側の遮光と開放を調整するロールスクリーン型のものがあり、一般的にスクリーンの下端部にウェイトバーを固定してその自重によりスクリーンの確実な垂下展開を行わせる。しかし、上記従来技術では、スクリーンを一度完全に巻き取った後に巻き戻そうとしてもそのスクリーンのロールとガイドプレートとの間にウェイトバーがつかえて閉塞しやすいため、円滑にスクリーンを垂下展開することが困難となる。
【０００６】
本発明の目的は、ロールスクリーンの垂下展開性能を向上するガイドレール、ロールスクリーン、ロールスクリーンの設置方法、及び日射遮蔽システムを提供することにある。
【課題を解決するための手段】
【０００７】
上記目的を達成するために、本願第１発明は、垂下したスクリーンの下端部にウェイトバーを固定し、前記スクリーンの上端部に固定した巻取軸で当該スクリーンを巻き上げ可能なロールスクリーン、が設置される枠体に設けられるガイドレールであって、前記枠体へ取り付けられる第１ガイドベースと、前記スクリーンと前記枠体の隙間を遮蔽する第１ガイドプレートと、を有し、前記第１ガイドプレートは、前記巻取軸の軸中心より下方側において、前記巻取軸で巻き取られた前記スクリーンのロールの外周との間で前記ウェイトバーの上方への移動を規制するウェイトバー規制部を有することを特徴とする。
【０００８】
また、上記目的を達成するために、本願第２発明は、上記本願第１発明のガイドレールが設置された枠体へのロールスクリーンの設置方法であって、前記ロールスクリーンを前記枠体に配置する第１工程と、前記巻取軸で巻き取られた前記スクリーンのロールの外周と前記ウェイトバー規制部との間で前記ウェイトバーが通過できない程度に前記ロールスクリーンを前記ガイドプレートに近接させる第２工程と、前記ロールスクリーンを前記枠体に固定する第３工程と、
を順に実行することを特徴とする。
【００１０】
また、上記目的を達成するために、本願第４発明は、スクリーンと、前記スクリーンの下端部に固定したウェイトバーと、前記スクリーンの上端部に固定して当該スクリーンを巻き上げ可能な巻取軸と、を有するロールスクリーンを備えた日射遮蔽システムであって、前記日射遮蔽システムが設けられる枠体へ取り付けられる第１ガイドベースと、前記スクリーンと前記枠体の隙間を遮蔽する第１ガイドプレートと、を有し、前記第１ガイドプレートは、前記巻取軸の軸中心より下方側において、前記巻取軸で巻き取られた前記スクリーンのロールの外周との間で前記ウェイトバーの上方への移動を規制するウェイトバー規制部と、を有するガイドレールと、を備えたことを特徴とする。
【発明の効果】
【００１１】
本発明によれば、ロールスクリーンの垂下展開性能を向上できる。
【図面の簡単な説明】
【００１２】
【図１】本発明の一実施形態に係るガイドレールとロールスクリーンが設置された額縁の構成の概略を表す正面図である。
【図２】ガイドレールとロールスクリーンが設置された額縁の構成の概略を表す平面図である。
【図３】ガイドレールとロールスクリーンが設置された額縁の構成の概略を表す側面図である。
【図４】縦ガイド部の分解斜視図である。
【図５】非移動部の平面図である。
【図６】移動部のガイドベースの平面図である。
【図７】移動部のガイドプレートの平面図である。
【図８】縦ガイド部の斜視図であり、図８（ａ）はガイドプレートの閉状態に対応し、図８（ｂ）はガイドプレートの開状態に対応する。
【図９】非移動部がヘッド部から離間している状態を表す図であり、図９（ａ）は部分平面図に対応し、図９（ｂ）は部分側面図に対応する。
【図１０】非移動部がヘッド部に近接している状態を表す図であり、図１０（ａ）は部分平面図に対応し、図１０（ｂ）は部分側面図に対応する。
【図１１】額縁に設置されたロールスクリーン及びガイドレールの平面図、及びロールスクリーンの側断面図である。
【発明を実施するための形態】
【００１３】
ここで、本発明のガイドレールは、ロールスクリーンタイプの日射遮蔽装置に限定して使用するものである。以下、そのようにロールスクリーンと併せて使用するガイドレールについて説明する。
【００１４】
以下、本発明の一実施形態について図面を参照しつつ説明する。なお、図面中に注記された「前」「後」「左」「右」「上」「下」の方向は、本明細書中の説明において「前」「後」「左」「右」「上」「下」と記述される方向にそれぞれ対応する。但し、本実施形態に係るロールスクリーン及びガイドレールの各構成の位置関係は、「前」「後」「左」「右」「上」「下」の概念に限定されるものではない。
【００１５】
まず、図１〜図３を参照しつつ、本実施形態に係るロールスクリーン及びガイドレールの構成の概略について説明する。図１は全体を正面から見た外観図であり、図２はその上方から見た平面図であり、図３はその右方から見た側面図である。
【００１６】
図１〜図３に示すように、窓ガラス１０を備えたサッシ（図示せず）の室内側に設けられた四角枠状の額縁１１（枠体）の内側には、ロールスクリーン１とガイドレール２０とが設置されている。なお、図１においては、図示の便宜上、ロールスクリーン１の左側の一部を切り欠いて示している。また、図２においては額縁１１の上辺を構成する上縁部１１ａの図示を省略し、図３においては額縁１１の右辺を構成する右縁部１１ｃとチェーンコード４の図示を省略している。
【００１７】
＜ロールスクリーンの構成＞
ロールスクリーン１は、額縁１１の上辺を構成する上縁部１１ａの内面に対しブラケット５１を介して取り付けられるヘッド部２を有する。ヘッド部２の内部には巻取軸７（後述の図１０参照）が回転可能に収納されており、その一方側（図示する例の右側）の端部にスプロケット３が軸設されている。スプロケット３に係合した環状のチェーンコード４がヘッド部２から露出して垂下しており、前後に並ぶいずれかのチェーンコード４を引き下ろすことでスプロケット３及び巻取軸７の前後回転を操作できる。また、適宜の遮光性を有した布地等からなるスクリーン５の上端が巻取軸７に固定されており、そこから垂下したスクリーン５の下端には適宜の重量を有する棒状のウェイトバー６が固定されている。なお、スクリーン５は、巻取軸７の後方側（室外側）から垂下している。また、ヘッド部２の後方背面側には、その左右方向全体に渡って薄板形状の遮光板９が設けられている（遮光板９については後に詳述する）。
【００１８】
以上の構成により、チェーンコード４を操作することで、巻取軸７を回転させてスクリーン５の巻き取りと巻き戻しを行い、すなわちスクリーン５とウェイトバー６を上下動させて額縁１１の内側における遮光と開放を操作できる。なお、図３中においては、最も上方に引き上げられた状態のウェイトバー６′を点線で示している。
【００１９】
＜ガイドレールの構成＞
ガイドレール２０は、上記ロールスクリーン１のウェイトバー６の端部をガイド可能なレールである。本実施形態では、ガイドレール２０は、ウェイトバー６の左右方向端部をガイド可能な２つの縦ガイド部２１，２１により構成されている。一方の縦ガイド部２１は、額縁１１の左辺を構成する左縁部１１ｂに設置され、ウェイトバー６の左端部をガイド可能となっており、他方の縦ガイド部２１は、額縁１１の右辺を構成する右縁部１１ｃに設置され、ウェイトバー６の右端部をガイド可能となっている。
【００２０】
なお、左縁部１１ｂ及び右縁部１１ｃのいずれか一方のみに対し縦ガイド部２１を設置してもよい（この場合、左縁部１１ｂ及び右縁部１１ｃのいずれか一方に設置した縦ガイド部２１により、ガイドレールが構成される）。
【００２１】
以下においては、額縁１１の右縁部１１ｃに設置される縦ガイド部２１を例に取り、その詳細な構成について説明する。なお、左縁部１１ｂに設置される縦ガイド部２１は左右対称の構造となっている。図４は縦ガイド部２１の分解斜視図である。この図４に示すように、縦ガイド部２１は、主に非移動部２２、移動部２３、及び回動軸２６を有しており、概略的には上端から所定長さ分が非移動部２２により構成され、非移動部２２の下方（非移動部以外の部分）が移動部２３により構成されている。すなわち、非移動部２２は、対応する縁部（図示する例の縦ガイド部２１では右縁部１１ｃ）のうち上端から所定長さ分に配置され、移動部２３は対応する縁部のうち非移動部２２の下方に配置される。本実施形態では、上記所定長さ、つまり非移動部２２の長さは、スクリーン５を上限位置まで引き上げて巻き取った状態にあるヘッド部２とウェイトバー６を併せた高さ方向寸法（図３中のＨ）より少し長くなっている。
【００２２】
図５は、非移動部２２を上方から見た平面図（もしくは上下方向に対する直交断面図）である。この図４において、非移動部２２は、それぞれ遮光性を備えた遮光材料（この例ではアルミニウム等の金属）からなるガイドベース３１（第１ガイドベース）とガイドプレート３２（第１ガイドプレート）とを一体に有している。ガイドベース３１は、対応する縁部（この例の左縁部１１ｂ）の内面で非移動部２２の上下方向全長に渡って取り付けられる略矩形状の部材である。ガイドプレート３２は、ガイドベース３１と同じ長さで、ヘッド部２の左右方向縁部とそれに対向する左縁部１１ｂまたは右縁部１１ｃとの隙間Ｓ１を遮蔽する略矩形薄板状の部材である。図示する本実施形態の例では、ガイドプレート３２が、ガイドベース３１に対してその後方側（ヘッド部２の室外側）の縁部に略直角な略Ｌ字状の配置で固定的（一体的）に設けられている（上記図２参照）。なお、特に図示しないが、ガイドベース３１の前方側（ヘッド部２の室内側）の縁部にも併せてガイドプレート３２を配置してもよい。
【００２３】
図６、図７は、移動部２３を構成するガイドベース３３とガイドプレート３４をそれぞれ上方から見た平面図（もしくは上下方向に対する直交断面図）である。この図６、図７において、移動部２３は、それぞれ遮光性を備えた遮光材料（この例ではアルミニウム等の金属）からなるガイドベース３３（第２ガイドベース）とガイドプレート３４（第２ガイドプレート）とを互いに回動可能に連結して構成される（後述の図８参照）。図６に示すガイドベース３３は、対応する縁部の内面で移動部２３の上下方向全長に渡って取り付けられる略矩形状の部材であり、その後方側の縁部には回動軸２６を貫通させるヒンジ片３３ａが設けられている。図７に示すガイドプレート３４は、ガイドベース３３と同じ長さで、スクリーン５（及びウェイトバー６）の左右方向縁部とそれに対向する左縁部１１ｂまたは右縁部１１ｃとの隙間Ｓ２を遮蔽する略矩形薄板状の部材であり、その縁部には回動軸２６を貫通させるヒンジ片３４ａが設けられている。図示する本実施形態の例では、移動部２３のガイドプレート３４が、ガイドベース３３に対してその後方側（スクリーン５の室外側）の縁部でお互いにヒンジ片３３ａ，３４ａを上下方向に重ね合わせ、針金状の金属細線からなる回動軸２６を貫通させることで、ガイドプレート３４がその回動軸２６周りに回動可能に連結される。なお、特に図示しないが、ガイドベース３３の前方側（スクリーン５の室内側）の縁部にも併せて回動軸２６とガイドプレート３４を配置してもよい。
【００２４】
以上のような非移動部２２と移動部２３を上下方向に接続することで、図８に示すような縦ガイド部２１が構成され、そのうちの移動部２２におけるガイドプレート３４のみが開閉可能となる。つまり非移動部２２においては、ガイドプレート３２がガイドベース３１に対して常に直立し、ヘッド部２の左右方向縁部とそれに対向する左縁部１１ｂまたは右縁部１１ｃとの隙間Ｓ１を常に遮蔽する。その一方で、移動部２３においては、使用者が手作業でガイドプレート３４を回動操作することにより、ガイドプレート３４がガイドベース３３に対して直立した閉状態（図８（ａ）参照）と、ガイドプレート３４がガイドベース３３と平行な開状態（図８（ｂ））に切り替えることができる。
【００２５】
図８（ａ）に示す移動部２３の閉状態では、ガイドプレート３４がスクリーン５の左右方向縁部とそれに対向する左縁部１１ｂまたは右縁部１１ｃとの隙間Ｓ１を遮蔽する。図８（ｂ）に示す移動部２３の開状態では、ガイドプレート３４が折り畳まれることでその水平方向の幅寸法分だけ額縁１１の内部が広く開放されて室内側に外光を多く取り入れることができる。なお、この移動部２３におけるガイドプレート３４の回動操作は、スクリーン５が巻き取られて上限位置まで引き上げられた状態でのみ行える。
【００２６】
＜ウェイトバー規制部について＞
そして本実施形態では、非移動部２２のガイドプレート３２のうち、その下端部の部分がウェイトバー規制部３５として機能する。このウェイトバー規制部３５は、上記図３に示すように、巻取軸７の軸中心より下方側において、当該巻取軸７で巻き取られたスクリーン５のロール８の外周との間でウェイトバー６を挟持する。そのためには、当該ウェイトバー規制部３５（ガイドプレート３２）は、その前方側表面（室内側表面）が、スクリーン５を巻き取って最も大径状態となったロール８の後方側外周面との間でウェイトバー６が通過できない程度に近接する配置関係で設置される必要がある。
【００２７】
ここで、図９に示すように、非移動部２２のガイドプレート３２が、最大径状態のロール８の後方側外周面との間でウェイトバー６が通過可能な程度に離間する配置関係で配置された場合、つまりガイドプレート３２の下端部がウェイトバー規制部３５として機能しない場合について説明する。図９（ａ）は、ヘッド部２の左方側端部周辺を上方から見た部分平面図であり、図９（ｂ）は、ヘッド部２の右方側端部周辺を右方側から見た部分側面図である。なお、図９（ｂ）においては、遮光部９と非移動部２２の図示を省略し、非移動部２２と同じ位置の移動部２３だけを図示している。
【００２８】
この図９において、上述したように、非移動部２２のガイドプレート３２と最大径状態のロール８の後方側外周面との間が離間している場合、巻取軸７によるスクリーン５の巻き取りが進むことで図示するようにウェイトバー６がウェイトバー規制部３５（ガイドプレート３２の下端部）の前方側を通過して巻取軸７の軸中心より上方まで引き上げられてしまう。この場合には、ウェイトバー６がロール８の回転（前転）に引き込まれて前方側へ落下しないように、ヘッド部２の内部でロール８の上方側に図示するようなウェイトバー止め３６を設ける必要がある。しかし、このようにスクリーン５を一度完全に巻き取ってウェイトバー６を引き上げきった後に巻き戻そうとしても、今度はロール８とガイドプレート３２との間にウェイトバー６がつかえて閉塞しやすいため、円滑にスクリーン５を垂下展開することが困難となる。
【００２９】
これに対し本実施形態では、ガイドプレート３２の下端部が上述したようなウェイトバー規制部３５として機能することにより、スクリーン５を巻き戻した際の円滑な垂下展開性能を確保できる。すなわち、上記図９に対応する図１０に示すように、当該ウェイトバー規制部３５が最大径状態のロール８の後方側外周面に対して十分近接していることで、巻取軸７の軸中心より下方側のロール８の外周との間でウェイトバー６を挟持しその上方への移動を規制できる（図１０（ｂ）参照）。この挟持状態では、ウェイトバー６の下方側が広く開放されているため、スクリーン５を巻き戻した際には何ら干渉を受けることなく当該ウェイトバー６の自重でスクリーン５を円滑に垂下展開させることができる。また、ウェイトバー規制部３５がウェイトバー６を受けるため、ヘッド部２内に上記ウェイトバー止め３６を設ける必要がなく、ヘッド部２内の構成を簡素化できる。
【００３０】
また以上のようにガイドプレート３２の下端部をウェイトバー規制部３５として機能させることができる場合、スクリーン５の左右方向縁部とそれに対向する左縁部１１ｂまたは右縁部１１ｃとの隙間Ｓ２における漏光を低減して遮光性能を向上させる効果も同時に得ることができる。この点について以下に説明する。
【００３１】
まず、移動部２３におけるガイドベース３３とガイドプレート３４は、移動部２３を開状態とした際の重ね合わせの関係から、それぞれの水平方向の幅寸法が略同一に設定されている。また、非移動部２２と移動部２３のそれぞれのガイドプレート３２，３４は、移動部２３を閉状態とした際に上下方向に直列に並ぶことから美観を考慮して、各ガイドプレート３２，３４の水平方向の幅寸法Ｗ１が略同一に設定されているとともに、それぞれの前後方向位置も一致するよう配置されている。このように、非移動部２２と移動部２３のそれぞれのガイドプレート３２，３４の水平方向（左右方向）の幅寸法Ｗ１はガイドベース３３の幅寸法に合わせて固定的に設定されており、そして図９（ａ）、図１０（ａ）に示すように、各ガイドプレート３２，３４の先端部分はスクリーン５の側方縁部と同じ重複幅Ｗ２で左右方向に重複する。
【００３２】
ここで、ガイドプレート３２の下端部がウェイトバー規制部３５として機能しない場合、つまり非移動部２２のガイドプレート３２が最大径状態のロール８の後方側外周面と大きく離間している場合（図９（ａ）中の離間距離Ｌ１が大きい場合）には、スクリーン５を巻き戻しきって最小径状態にあるロール８の後方側外周面、つまりその際のスクリーン５の背面に対しても移動部２３のガイドプレート３４が比較的大きく離間することになる。この場合には、図９（ａ）に示すように、ガイドプレート３４の縁部とスクリーン５の縁部の合間から入り込む外光の入射角度Ａが大きくなるため、上記隙間Ｓ２において外光が前方側へ深く進入することになり、すなわち光の漏洩が大きくなる。
【００３３】
これに対し、本実施形態のように、ガイドプレート３２の下端部がウェイトバー規制部３５として機能する場合、つまり非移動部２２のガイドプレート３２が最大径状態のロール８の後方側外周面と近接している場合（図１０（ａ）中の離間距離Ｌ２が小さい場合）には、スクリーン５を巻き戻しきって最小径状態にあるロール８の後方側外周面、つまりその際のスクリーン５の背面に対しても移動部２３のガイドプレート３４が比較的近接することになる。この場合には、図１０（ａ）に示すように、ガイドプレート３４の縁部とスクリーン５の縁部の合間から入り込む外光の入射角度Ａが小さくなるため、上記隙間Ｓ２における外光の前方側への進入を抑えることができ、すなわち光の漏洩を低減して遮光性能を向上できる。
【００３４】
＜遮光板について＞
次に、ヘッド部２の詳細な構成と、そこに設けられている遮光板９について説明する。図１１は、額縁１１に設置されたロールスクリーン１及びガイドレール２０を上方から見た平面図であり、中央部においてロールスクリーン１を右方から見た側断面で表している。
【００３５】
この図１１において、ロールスクリーン１のヘッド部２は、その左右方向全体に渡って上縁部１１ａに設置される本体部２ａと、この本体部２ａの左右両端部からそれぞれ下方に延びる支持部２ｂと、本体部２ａ左右方向全体に渡ってその後方側面から後方斜め下方側へ延びる遮光板９を有している。本体部２ａは、全体が中空の略直方体形状に形成されたフレームで構成されており、各支持部２ｂは、それぞれの下端部に巻取軸７の中心軸を回転可能に支持している。遮光板９は、全体が遮光性と弾性を備えた材料からなる薄板部材であり、その張り出し方向中央部分でスクリーン５のロール８の後方外周側面に摺接するとともに、その摺接点より先端側を後方へ向けて屈曲している。
【００３６】
このような構成で、図示するように巻取軸７によりスクリーン５を最も巻き取った状態（ウェイトバー６がウェイトバー規制部３５で規制された状態）では、最大径状態となったスクリーン５のロール８の外周側面が本体部２ａの下面と近接する。また、特に図示しないが、スクリーン５を最も巻き戻して展開した状態（ウェイトバー６が最も下方に位置した状態）では、ロール８の外径が巻取軸７の外径とほぼ同じとなり、本体部２ａの下面との間に隙間Ｄが生じる。遮光板９は、このようなロール８の外径の変化に応じて弾性的に揺動し、常にロール８の後方外周側面に摺接する。
【００３７】
このように作動する遮光板９は、本体部２ａとロール８との間の上下方向の隙間に対して常に前後方向で重複し、覆うように配置される。これにより、遮光板９は、ロール８の外径がどのように変化しても本体部２ａとの間の隙間から漏洩する光を常に遮蔽して全体の遮光性能を向上できる。なお、ロール８が最大径状態となって遮光板９が最も後方に揺動した場合でもガイドレール２０のガイドプレート３２と干渉することがないよう、遮光板９の両端部にはそれぞれガイドプレート３２の形状、配置に合わせた切り欠き９ａが形成されている。また、特に図示しないが、ヘッド部２に本体部２ａが備えられていない場合には、少なくとも上縁部１１ａと巻取軸７の上側面との間に渡って覆う配置で設置されることで上記遮光性能を確保できる。
【００３８】
＜ロールスクリーンの設置工程について＞
以上のようなウェイトバー規制部３５と遮光板９の機能を踏まえて、ロールスクリーン１全体を上縁部１１ａに設置する際の工程について以下に説明する。なお、ロールスクリーン１においては、あらかじめ巻取軸７でスクリーン５を巻き取ってロール８を最大径状態としていることを前提とする。
【００３９】
まず、第１工程として、ロールスクリーン１を上縁部１１ａに配置する。この際、ウェイトバー６や遮光板９がガイドレール２０のガイドプレート３２と干渉しないよう、ロールスクリーン１全体をやや前方側に配置する（図９参照）。
【００４０】
次に、第２工程として、巻取軸７で巻き取られたスクリーン５のロール８の外周とウェイトバー規制部３５との間でウェイトバー６が通過できない程度にロールスクリーン１を後方側のガイドプレート３２に近接させる（図１０参照）。このとき、遮光板９の両端部に対してもガイドプレート３２と接触しないように注意する。
【００４１】
次に、第３工程として、上記第２工程で調整した位置でロールスクリーン１のヘッド部２（本体部２ａ）をビス等で留めることで上縁部１１ａに固定する。
【００４２】
以上の第１〜３工程を順に実行することで、ガイドプレート３２の下端部をウェイトバー規制部３５として機能させることができ、すなわち巻取軸７の軸中心より上方へのウェイトバー６の移動を規制できるとともに、上記隙間Ｓ２における遮光性能を向上できる。また、第１〜３工程を順に実行することで、遮光板９がロール８の外径変化に対応して自由に揺動し、常に本体部２ａ（上縁部１１ａ）とロール８の隙間を遮蔽して全体の遮光性能を向上できる。なお、上記ロールスクリーン１とガイドレール２０との組み合わせが、各請求項記載の日射遮蔽システムに相当する。
【００４３】
＜本実施形態による効果＞
以上説明したように、本実施形態では、非移動部２２のガイドプレート３２が、巻取軸７で巻き取られたスクリーン５のロール８の外周との間でウェイトバー６を挟持可能なウェイトバー規制部３５を有している。これにより、スクリーン５を巻き戻すだけでウェイトバー６をその自重で挟持状態から解放させて自由に垂下させることができ、ロールスクリーン１の垂下展開性能を向上できる。
【００４４】
また、本実施形態では特に、非移動部２２のガイドプレート３２は、その下端部にウェイトバー規制部３５を有している。これにより、非移動部２２のガイドプレート３２は、上限位置まで引き上げられてウェイトバー規制部３５で挟持された状態のウェイトバー６より下方側を開放するので、移動部２３のガイドプレート３４を開状態とした際にはより多くの外光を室内に入射させることができる。
【００４５】
また、本実施形態では特に、ウェイトバー規制部３５は、巻取軸７の軸中心より下方側でウェイトバー６を挟持する。これにより、挟持状態ではウェイトバー６の下方側が広く開放されているため、スクリーン５を巻き戻した際には何ら干渉を受けることなく当該ウェイトバー６の自重でスクリーン５を円滑に垂下展開させることができる。
【００４６】
また、本実施形態では特に、非移動部２２のガイドプレート３２と移動部２３のガイドプレート３４は水平方向の幅寸法が略同一に設定されている。これにより、移動部２３を閉状態とした際に上下方向に直列に並んだ場合でも各ガイドプレート３２，３４の幅が揃って整列するため美観が向上する。また、このような場合でも、ガイドプレート３２の下端部がウェイトバー規制部３５として機能する場合、つまり非移動部２２のガイドプレート３２が最大径状態のロール８の後方側外周面と近接している場合には、ガイドプレート３４の縁部とスクリーン５の縁部の合間から入り込む外光の前方側への進入を抑えることができ、すなわち光の漏洩を低減して遮光性能を向上できる。
【００４７】
また、本実施形態では特に、上記第１〜３工程を順に実行してロールスクリーン１を上縁部１１ａに設置する。これにより、ガイドプレート３２の下端部をウェイトバー規制部３５として機能させることができ、ウェイトバー６の移動規制と上記隙間Ｓ２における遮光性能を向上できる。また、遮光板９が常に本体部２ａ（上縁部１１ａ）とロール８の隙間における遮光性能を向上できる。
【００４８】
また、本実施形態では特に、ガイドプレート３２に合わせて切り欠いた形状で本体部２ａ（上縁部１１ａ）と巻取軸７の上下方向の隙間を遮蔽する遮光板９を備えている。これにより、遮光板９は、ロール８の外径がどのように変化しても本体部２ａとの間の隙間から漏洩する光を常に遮蔽して全体の遮光性能を向上できる。
【００４９】
なお、以上既に述べた以外にも、上記実施形態や各変形例による手法を適宜組み合わせて利用してもよい。
【００５０】
その他、一々例示はしないが、本発明は、その趣旨を逸脱しない範囲内において、種々の変更が加えられて実施されるものである。
【符号の説明】
【００５１】
１                ロールスクリーン（日射遮蔽システム）
２                ヘッド部
５                スクリーン
６                ウェイトバー
７                巻取軸
８                ロール
９                遮光板
９ａ              切り欠き部
１１              額縁（枠体）
１１ｃ            右縁部
２０              ガイドレール（日射遮蔽システム）
２１              縦ガイド部
２２              非移動部
２３              移動部
２６              回動軸
３１              非移動部のガイドベース（第１ガイドベース）
３２              非移動部のガイドプレート（第１ガイドプレート）
３３              移動部のガイドベース（第２ガイドベース）
３４              移動部のガイドプレート（第２ガイドプレート）
３５              ウェイトバー規制部
【図１】
0006514554.tif 000002
【図２】
0006514554.tif 000003
【図３】
0006514554.tif 000004
【図４】
0006514554.tif 000005
【図５】
0006514554.tif 000006
【図６】
0006514554.tif 000007
【図７】
0006514554.tif 000008
【図８】
0006514554.tif 000009
【図９】
0006514554.tif 000010
【図１０】
0006514554.tif 000011
【図１１】
0006514554.tif 000012